【事件の表示】
　特許第３０３６８４９号「天然起源の微小繊維及びフィルム形成ポリマーの、毛髪、睫毛、眉毛、及び爪用の複合被覆剤としての使用」の請求項１ないし８に係る特許に対する特許異議の申立てについて、次のとおり決定する。
【結　論】
　訂正を認める。
　特許第３０３６８４９号の請求項１ないし８に係る特許を維持する。
【理　由】
１．手続の経緯
　本件特許第３０３６８４９号発明は、平成９年１月２８日（パリ条約による優先権主張、平成８年２月１３日、フランス国）を国際出願日とする特許出願であって、平成１２年２月２５日にその特許権の設定登録がなされ、その後、旭化成工業株式会社より特許異議申立がなされ、当審より取消理由通知がなされ、その指定期間内である平成１３年９月２０日に訂正請求がなされたものである。
　
２．訂正の適否についての判断
(a)訂正の内容
訂正事項ａ
　特許請求の範囲請求項１が「水溶液中又は水性分散液中に、フィルム形成ポリマー及び天然起源で長さが80nm以上であり、長さ／径比率（形状因子）が10以上である伸長剛体粒子形状のミクロフィブリルを懸濁させた水性懸濁液を含んでなり、前記ミクロフィブリルが、植物又は動物起源のセルロースミクロフィブリル、キトサンミクロフィブリル、または細菌形質転換体を起源とするミクロフィブリルであり、かつ表面イオン電荷を持つことを特徴とする化粧品組成物。」とあるのを「水溶液中又は水性分散液中に、フィルム形成ポリマー及び天然起源で長さが８０ｎｍ以上であり、長さ／径比率（形状因子）が１０以上である伸長剛体粒子形状のミクロフィブリルを懸濁させた水性懸濁液を含んでなり、前記ミクロフィブリルが、植物又は動物起源のセルロースミクロフィブリル又はキトサンミクロフィブリルであり、かつ、表面イオン電荷を持つことを特徴とする、毛髪、睫毛、眉毛又は爪用の化粧品組成物。」と訂正するものである。
　
訂正事項ｂ
　特許請求の範囲請求項２の「前記微小線繊維が、１μｍ以上の平均長さを有し、30以上の形状因子を有することを特徴とする請求項１記載の組成物。」を「前記ミクロフィブリルが、１μｍ以上の平均長さを有し、３０以上の形状因子を有することを特徴とする請求項１記載の組成物。」と訂正するものである。
　
訂正事項ｃ
　特許請求の範囲請求項７の「水溶性フィルム形成ポリマーが、20℃以下のガラス転移点Tgを持つ合成フィルム形成ポリマー及び40℃以上のTgを持つ天然フィルム形成ポリマーから選択されることを特徴とする請求項１から６のいずれかに記載の組成物。」を「水溶液中のフィルム形成ポリマーが、２０℃以下のガラス転移点Ｔｇを持つ合成フィルム形成ポリマー及び４０℃以上のＴｇを持つ天然フィルム形成ポリマーから選択されることを特徴とする請求項１から６のいずれかに記載の組成物。」と訂正するものである。
　
訂正事項ｄ
　特許請求の範囲請求項１２が「爪のメーキャップ及び又はケア用製品であることを特徴とする請求項１から10のいずれかに記載の組成物。」を「爪のメーキャップ及び／又はケア用製品であることを特徴とする請求項１から１０のいずれかに記載の組成物。」と訂正するものである。
　
訂正事項ｅ
　特許請求の範囲請求項１３が「水溶液中又は水性分散液中のフィルム形成ポリマー及び天然起源で長さが80nm以上であり、長さ／径比率（形状因子）が10以上である伸長剛体粒子形状のミクロフィブリル水性懸濁液からなり、前記ミクロフィブリルが、植物又は動物起源のセルロースミクロフィブリル、キトサンミクロフィブリル、または細菌形質転換体を起源とするミクロフィブリルであり、かつ表面イオン電荷を持つことを特徴とする、毛髪、睫毛、眉毛又は爪用の化粧品組成物の被覆剤。」とあるのを、「水溶液中又は水性分散液中のフィルム形成ポリマー及び天然起源で長さが８０ｎｍ以上であり、長さ／径比率（形状因子）が１０以上である伸長剛体粒子形状のミクロフィブリル水性懸濁液からなり、前記ミクロフィブリルが、植物又は動物起源のセルロースミクロフィブリル又はキトサンミクロフィブリルであり、かつ表面イオン電荷を持つことを特徴とする、毛髪、睫毛、眉毛又は爪用の、化粧品組成物用の被覆剤。」と訂正するものである。
　
(b)訂正の目的の適否、新規事項の追加の有無及び拡張・変更の存否
　訂正事項ａは、ミクロフィブリルの起源に関する選択肢「前記ミクロフィブリルが、植物又は動物起源のセルロースミクロフィブリル、キトサンミクロフィブリル、または細菌形質転換体を起源とするミクロフィブリル」から「細菌形質転換体を起源とするミクロフィブリル」を削除し、また、化粧品組成物の適用対象を「毛髪、睫毛、眉毛又は爪用」と限定するものであるが、本訂正は、請求項１に記載されたミクロフィブリルの起源を限定し、適用対象について限定のない化粧品組成物の適用対象を限定するものであるので、特許請求の範囲の減縮を目的とするものに該当する。
　そして、訂正後の請求項１に記載された化粧品組成物の適用対象に関して、願書に添付した明細書（以下、特許明細書という。）に「本発明は、…化粧用又は皮膚用組成物の調製における又は調製のための、毛髪、睫毛、眉毛又は爪用の複合被覆剤としての使用に関する。」（本件特許公報２頁左欄３０〜３５行参照）と記載されていることから、本訂正は特許明細書に記載した事項の範囲内のものである。
　
　訂正事項ｂは、「微小線繊維」を「ミクロフィブリル」と訂正するものであるが、「微小線繊維」なる技術用語が当該分野における通常の用語ではなく、また、請求項２における「１μｍ以上の平均長さを有し、３０以上の形状因子を有する」という特許を受けようとする発明を特定するための事項の主語は、特許明細書、特に請求項２が引用する請求項１の記載から「ミクロフィブリル」と認められることから、本訂正は誤記の訂正を目的とするものであって、特許明細書に記載した事項の範囲内のものである。
　
　訂正事項ｃは、「水溶性フィルム形成ポリマー」を「水溶液中のフィルム形成ポリマー」と訂正するものであるが、請求項７が引用する請求項１の「水溶液中又は水性分散液中に、フィルム形成ポリマー…」との記載と整合させるものであるから、明りょうでない記載の釈明を目的とする訂正であり、特許明細書に記載した事項の範囲内のものである。
　
　訂正事項ｄは、「及び又は」を「及び／又は」と訂正するものであるが、「及び」と「又は」の間に「／」を使用することが当該分野における通常の表現方法であることから、明りょうでない記載の釈明を目的とするものであり、特許明細書に記載した事項の範囲内のものである。
　
　訂正事項ｅのうち、ミクロフィブリルの起源に関する選択肢の一部を削除する訂正は、前記訂正事項ａにおいて述べた理由により、特許明細書に記載した事項の範囲内のものであって、特許請求の範囲の減縮を目的とするものに該当する。また、「…毛髪、睫毛、眉毛又は爪用の化粧品組成物の被覆剤」を、「…毛髪、睫毛、眉毛又は爪用の、化粧品組成物用の被覆剤」とする訂正は、「…毛髪、睫毛、眉毛又は爪用の化粧品組成物の被覆剤」という「…毛髪、睫毛、眉毛又は爪用の化粧品組成物の、被覆剤」であるか、「…毛髪、睫毛、眉毛又は爪用の化粧品組成物である被覆剤」であるかが不明りょうな記載について、「被覆剤」が「毛髪、睫毛、眉毛又は爪用」であって、かつ「化粧品組成物用」であることを明確にするものであることから、明りょうでない記載の釈明を目的とするものであって、特許明細書に記載した事項の範囲内のものである。
　
　また、これらの訂正は、実質上特許請求の範囲を拡張し、また、変更するものでもない。
　
(c)独立特許要件
　上記訂正事項ｅは特許異議の申立がされていない請求項１３についての訂正であって、特許請求の範囲の減縮を目的とする訂正を含むものであるから、訂正後の請求項１３に係る発明の独立特許要件について検討する。
　本件特許の請求項１３に係る発明は訂正後の特許請求の範囲に記載されたとおりのものと認められ、上記(b)で述べたように「毛髪、睫毛、眉毛又は爪用」であって、かつ「化粧品組成物用」である「被覆剤」であり、この被覆剤は「毛髪、睫毛、眉毛又は爪用の化粧品組成物」と実質的に同一のものであることから、請求項１３に係る発明は訂正後の請求項１に係る発明と単にその表現が相違するのみであって、実質同一である発明ということができる。そして、本件訂正後の請求項１に係る発明は、以下の「３．特許異議申立についての判断」の項に記載した理由により、独立して特許を受けることができるものである。
　したがって、本件特許の請求項１３に係る発明は、特許出願の際独立して特許を受けることができるものである。
　
　以上のとおりであるから、上記訂正請求は、特許法第１２０条の４第２項及び同条第３項で準用する第１２６条第２乃至４項の規定に適合するので、当該訂正を認める。
　
３．特許異議申立についての判断
(a)異議申立の概要
　特許異議申立人は、甲第１号証（特公平４−７１０５２号公報）、甲第２号証（「月刊フードケミカル」、（株）食品化学新聞社、平成４年３月、第８巻、第３号、p.129-135）、甲第３号証（特開昭６２−３９５０７号公報）、甲第４号証（特公昭６０−１９９２１号公報）、甲第５号証（「SEN-I GAKKAISHI（繊維と工業）」、1992年、第48巻、第10号、p.566-569）、甲第６号証（特公平６−９９２７７号公報）、甲第７号証（紙加工便覧編集委員会編、「最新 紙加工便覧」、株式会社テックタイムス、昭和６３年８月２０日、p.60）及び甲第８号証（祖父江寛ほか編、「化学・工業 セルロースハンドブック」、株式会社朝倉書店、昭和３３年１月１０日、p.228-229）を提出して、請求項１〜４に係る発明の特許は、特許法第２９条第１項第３号又は同第２９条第２項の規定に違反してされたものであり、また、請求項１〜８に係る発明の特許は、特許法第３６条に規定する要件を満たしていない特許出願に対してされた旨主張している。
　
(b)本件特許発明
　本件特許の請求項１〜８に係る発明は、訂正された特許明細書の記載からみて、特許請求の範囲に記載されたとおりの
「【請求項１】水溶液中又は水性分散液中に、フィルム形成ポリマー及び天然起源で長さが８０ｎｍ以上であり、長さ／径比率（形状因子）が１０以上である伸長剛体粒子形状のミクロフィブリルを懸濁させた水性懸濁液を含んでなり、前記ミクロフィブリルが、植物又は動物起源のセルロースミクロフィブリル又はキトサンミクロフィブリルであり、かつ、表面イオン電荷を持つことを特徴とする、毛髪、睫毛、眉毛又は爪用の化粧品組成物。
　
【請求項２】前記ミクロフィブリルが、１μｍ以上の平均長さを有し、３０以上の形状因子を有することを特徴とする請求項１記載の組成物。
　
【請求項３】前記ミクロフィブリルが、２０％以上の結晶化度を有することを特徴とする請求項１または２記載の組成物。
　
【請求項４】前記セルロースミクロフィブリルが、柔組織、木、穀類、野菜、セルロース壁を持つ藻類、ツニシンから抽出されたものであることを特徴とする請求項１から３のいずれかに記載の組成物。
　
【請求項５】前記表面イオン電荷が、硫酸イオン、カルボン酸イオン、またはリン酸イオンであることを特徴とする請求項１から４のいずれかに記載の組成物。
　
【請求項６】ミクロフィブリル／フィルム形成ポリマー混合物中のミクロフィブリル濃度が、ポリマー重量に対して１５重量％以下であることを特徴とする請求項１から５のいずれかに記載の組成物。
　
【請求項７】水溶液中のフィルム形成ポリマーが、２０℃以下のガラス転移点Ｔｇを持つ合成フィルム形成ポリマー及び４０℃以上のＴｇを持つ天然フィルム形成ポリマーから選択されることを特徴とする請求項１から６のいずれかに記載の組成物。
　
【請求項８】フィルム形成ポリマーの水性分散液が、１０℃未満のＴｇを持つ親水性ポリマーラテックスであることを特徴とする請求項１から６のいずれかに記載の組成物。」
と認められる。
　
(c)証拠の記載
　甲第１号証には、「ポリビニルアルコールを皮膜形成主剤とし、これに水溶性高分子とカルボキシメチルセルロースコーティング微結晶セルロースとを配合してなる皮膜型パック料」（請求項１）が記載されており、このカルボキシメチルセルロース（以下、ＣＭＣという。）コーティング微結晶セルロースについては「…本発明において用いられるＣＭＣ−Ｎａコーティング微結晶セルロースは…。この様な特性を有する市販のものとしては、例えばアビセルＲＣ（ＦＭＣ社製）が挙げられる。」（２頁右欄１１〜２２行）と記載されている。また、甲第１号証には皮膜型パック料の製法として「…先ず精製水に多価アルコール、水溶性高分子、ＣＭＣ−Ｎａコーティング微結晶セルロース、ＰＶＡ（ポリビニルアルコール）及び粉体等を分散、加熱溶解し、これに化粧用油剤等を含有する精製水を投入混合し、最後にアルコールを加える等のプロセスにより成し遂げられるものである。」（３頁左欄９行〜右欄１行）と記載されている。
　
　甲第２号証には、アビセルＲＣが「コロイダルサイズの微結晶セルロースの表面を水溶性高分子で特殊コーティングした後、乾燥することで得られる」（１２９頁右欄下から９〜６行）ものであり、「結晶セルロースを構成する一次粒子は、数ミクロンの棒軸状微結晶体である」（１３０頁右欄下から３〜２行）こと、これを「…水性媒体に投入し、剪断力をかけると、水溶性高分子がまず膨潤・溶解して二次凝集体である製品粒子が崩壊し、構成単位である微結晶セルロースが再びコロイド粒子となって分散する（図２）」（１３１頁左欄下から１９〜１５行）ことが記載されており、分散したアビセルＲＣの電子顕微鏡写真（１３１頁、写真２）には、アビセルＲＣの構成単位である微結晶セルロースは分散状態において数ミクロンの棒軸状粒子であること、その長さ／径比率が少なくとも１０以上であることが示されている。また「コロイド状に分散した微結晶セルロース粒子は、水和によって生じた表面電荷によって相互に反発し合いながらブラウン運動を続け…」（１３１頁左欄下から１０〜８行）と記載されている。アビセルＲＣの起源については「「アビセル」は高純度の木材パルプを酸加水分解することによって得られる。」（１２９頁左欄２０〜２２行）と記載されている。そして、その用途に関しては「４．「アビセル」の食品への応用」の欄にコーヒーホワイトナー、ホイッピングクリームへの応用例が紹介されている。
　
　甲第３号証には、「マイクロフィブリル化セルロースと水溶性高分子とを必須に配合することを特徴とする皮膚手入れ用化粧料」（請求項１）が記載されており、その使用法としては「顔面又は身体に塗布後擦り落として使用するものである」（２頁左上欄１０〜１１行）と記載されている。そして、実施例１には、マイクロフィブリル化セルロース（ＭＦＣと表現）（固形分３％水スラリー）、ヒドロキシエチルセルロース、精製水を含有する肘・膝手入れ用クリームが記載されている。また、マイクロフィブリル化セルロースについては「本発明で必須成分として配合されるマイクロフィブリル化セルロースは特開昭５６−１００８１号明細書に示された方法によりパルプ繊維をスラリー状で叩解して得られるもので、…」（２頁左上欄２０行〜右上欄３行）と記載されている。
　
　甲第４号証には、「微小繊維状セルローズの製造方法」（発明の名称）が開示されており、「…第５図には…本発明による微小繊維状生成物の500倍の電子顕微鏡写真が示されている。…第５部に示されているパルプはつがの木の亜硫酸パルプである。…第５図に示されているものは均質化装置を２０回通過させた後のもので、繊維の特性がなくなっている。即ち薄板状が爆発的に切り裂かれて微小繊維となっている。」（３頁左欄２２〜３４行）と記載され、FIG. 5には長さが８０ｎｍ以上で長さ／径比率が１０以上である微小繊維が示されている。また、微小繊維状セルローズの用途に関しては「本発明による微小繊維状セルローズは紙シートの強さを増すために用いられる。」（９頁左欄下から１行〜右欄下から１１行）、「…本発明による微小繊維状セルローズは紙および不織布に対する結合材として有用である」（１０頁右欄１〜３行）と記載されている。
　
　甲第５号証には、「…高圧ホモジナイザーを用いてセルロース繊維を微小フィブリル化する技術と、この方法で商品化された商品名「セリッシュ（登録商標）」の特徴及び用途について紹介…」（５６６頁左欄６〜１０行）されており、「セリッシュ（登録商標）FD-100Sの電子顕微鏡写真」（５６７頁、図３）には、長さが８０ｎｍ以上で長さ／径比率が１０以上であるミクロフィブリル化セルロースが示されている。また、「3.5 セリッシュ（登録商標）の表面電位」の欄には、「セリッシュ（登録商標）FD-100Sの中性水中でのζ電位は−11mVで…」と記載されている。そして、その用途に関しては、「４．セリッシュ（登録商標）の用途」の項に濾過助剤、食品添加剤、工業用添加剤への応用が記載されている。
　
　甲第６号証には、「短繊維と、親水性粉体と、水不溶性高分子とを主要成分とする凝集体の粗粉砕物を水性基剤に分散してなることを特徴とする皮膚手入れ用化粧料。」（請求項１）が記載されており、「本発明は…皮膚の老廃物や付着物等を容易に除去できるクレンジング効果と共にマッサージ効果を有し、なおかつ良好な使用感を有する優れた皮膚手入れ用化粧料に関するものである。」（［産業上の利用分野］の欄）と記載されている。また、前記短繊維については、２頁右欄１１〜２１行に「本発明に使用される短繊維としては、一般的に入手できるものであれば良く、周知のものが利用できる。例えばセルロース系、…系繊維、より具体的にはレーヨン、…等の合成繊維や羊毛…等の天然繊維が挙げられる。…また本発明にとって繊維長が0.2〜10mmの程度で、太さが0.5〜５デニールのものであればよく、…」と記載されており、前記水不溶性高分子については、２頁右欄４５〜４８行に「水不溶性高分子を具体的に例示すれば酢酸ビニル系、アクリル系の重合体及び共重合体が挙げられ、これらの樹脂エマルションが入手し易く、本発明にとって好適に使用できる。」と記載されている。そして実施例２にはレーヨン短繊維、酢酸ビニルポリマーエマルション（50％）、カルボキシビニルポリマー（１％水溶液）、精製水を含有する皮膚手入れ用化粧料（乳化タイプ）が記載されている。
　
　甲第７号証には、その６０頁２１〜２３行に「水中でパルプ繊維は膨潤し、表面のフィブリルが部分的にゆるみ、一端が水中に突き出るようになるとコロイド粒子と同じように挙動し、界面動電現象が生じセルロース繊維の表面は負の電荷を示す。一般に木材パルプ繊維のゼータ電位は−20〜−30ｍＶである。」と記載されている。
　
　甲第８号証には、その２２８頁２１行〜２２９頁７行に「セルロース繊維の結晶領域量はラミー、綿リンター、ビスコース人絹、スフ、強力人絹、銅安人絹など繊維の種類によって異なる。普通天然セルロース繊維ラミー綿などは結晶領域量は70％以上といわれ、普通人絹スフは40〜50％位である。セルロース結晶領域量を測定するには種々の方法があり、Ｘ線干渉法…などがある。
　１．Ｘ線干渉の強度分布による方法
　……
　Hermansは…大体妥当な結晶領域量として天然セルロース繊維はＸ＝70％、普通ビスコース人絹39％の値を得ている。」と記載されている。
　
(d)特許法第２９条第１項第３号について
(i)請求項１について
　請求項１に係る発明と甲第１号証に記載のものを対比する。
　甲第２号証の上記摘記事項より、甲第１号証に記載されたアビセルＲＣは木材を起源とする微結晶セルロースを含有する製品であって、その微結晶セルロースは数ミクロンの棒軸状粒子であり、その長さ／径比率が少なくとも１０以上であり、表面電荷を有しているものと認められるので、甲第１号証には、皮膜形成剤であるポリビニルアルコール、すなわちフィルム形成ポリマー、及び、木材起源、すなわち植物起源であり、数ミクロン、すなわち長さが８０ｎｍ以上であり、その長さ／径比率が少なくとも１０以上であり、表面電荷を有する微結晶セルロースを含有するアビセルＲＣ、及び水を含有する皮膜型パック料が記載されているものと認められ、また、本パック料は皮膚用化粧品組成物の１種と認められる。
　そうすると、両者は、フィルム形成性ポリマー、及び、植物起源のセルロースミクロフィブリルであって、長さが８０ｎｍ以上であり、長さ／径比率が１０以上であり、かつ、表面イオン電荷を持つ伸長剛体粒子形状のミクロフィブリルが水に分散した組成物である点において一致し、請求項１に係る発明は、毛髪、睫毛、眉毛又は爪用の化粧品組成物であるのに対して、甲第１号証に記載のものは皮膚用化粧品組成物の１種であるパック料である点において相違する。
　したがって、請求項１に係る発明は甲第１号証に記載されたものではない。
　
　請求項１に係る発明と甲第３号証に記載のものを対比する。
　甲第３号証において引用された甲第４号証、及び甲第４号証を引用する甲第５号証の上記摘記事項より、甲第３号証に記載のマイクロフィブリル化セルロースは、つがの木を起源とするマイクロフィブリル化セルロースであって、長さが８０ｎｍ以上で、その長さ／径比率が少なくとも１０以上であり、表面電荷を有しているものと認められるので、甲第３号証には、つがの木起源、すなわち植物起源であり、長さが８０ｎｍ以上で、その長さ／径比率が少なくとも１０以上であり、表面電荷を有するマイクロフィブリル化セルロース、及び、ヒドロキシエチルセルロース（これがフィルム形成ポリマーであることは周知の事項である）及び水を含有する、顔面又は身体に塗布後擦り落として使用する皮膚手入れ用化粧料が記載されているものと認められる。
　そうすると、両者は、フィルム形成性ポリマー、及び、植物起源のセルロースミクロフィブリルであって、長さが８０ｎｍ以上であり、長さ／径比率が１０以上であり、かつ、表面イオン電荷を持つミクロフィブリルが水に分散した組成物である点において一致し、請求項１に係る発明は、毛髪、睫毛、眉毛又は爪用の化粧品組成物であるのに対して、甲第３号証に記載のものは皮膚手入れ用化粧品組成物である点において相違する。
　したがって、請求項１に係る発明は甲第３号証に記載されたものではない。
　
　請求項１に係る発明と甲第６号証に記載のものを対比する。
　甲第６号証には、上記摘記事項より、繊維長が0.2〜10mmの程度、すなわち８０ｎｍ以上で、太さが0.5〜５デニールのものであるレーヨン短繊維、すなわち植物起源のセルロースミクロフィブリルと、水不溶性高分子として酢酸ビニル系、アクリル系の重合体及び共重合体（これらはフィルム形成ポリマーを含有すると認められる）を含有する凝集体の粗粉砕物を水性基材に分散してなる皮膚手入れ用化粧料が記載されているものと認められる。また、レーヨン繊維では、太さが0.5〜５デニールは径が５〜５０μｍに相当すると認められることから、その長さ／径比率は４〜２０００となり、レーヨンはセルロース繊維の１種であることから、その短繊維は水中で負の表面電荷を有するものと認められる。
　そうすると、両者は、フィルム形成性ポリマー、及び、植物起源のセルロースミクロフィブリルであって、長さが８０ｎｍ以上であり、長さ／径比率が１０以上であり、かつ、表面イオン電荷を持つミクロフィブリルが水に分散した組成物である点において一致し、請求項１に係る発明は、毛髪、睫毛、眉毛又は爪用の化粧品組成物であるのに対して、甲第６号証に記載のものは、皮膚手入れ用化粧品組成物である点において相違する。
　したがって、請求項１に係る発明は甲第６号証に記載されたものではない。
　
(ii)請求項２〜４に係る発明について
　請求項２〜４に係る発明は、請求項１に係る発明のミクロフィブリルを限定するものであるから、甲第１号証、甲第３号証又は甲第６号証に記載されたものではない。
　
(e)特許法第２９条第２項について
(i)請求項１に係る発明について
　請求項１に係る発明と甲第１号証、甲第３号証又は甲第６号証に記載のものと対比すると、(d)(i)で述べたように、組成物の適用対象が請求項１に係る発明は毛髪、睫毛、眉毛又は爪用であるのに対して、甲第１号証、甲第３号証又は甲第６号証に記載のものはいずれも皮膚用である点で相違する。
　そこで、この相違点を検討すると、甲第２号証、甲第４号証及び甲第５号証のいずれにも、微結晶セルロース（甲第２号証）、微小繊維状セルローズ（甲第４号証）又はミクロフィブリル化セルロース（甲第５号証）を毛髪、睫毛、眉毛又は爪用化粧品組成物に配合することは記載されておらず、また、甲第７号証及び甲第８号証にも、セルロース繊維を毛髪、睫毛、眉毛又は爪用化粧品組成物に配合することは記載されていない。
　また、皮膚用化粧品組成物に使用することが知られていたセルロースミクロフィブリルについて、それを、直ちに、毛髪、睫毛、眉毛又は爪用の化粧品組成物に使用することができるものとは認められないことから、甲第１〜８号証の記載の事項を組み合わせても、セルロースミクロフィブリルを毛髪、睫毛、眉毛又は爪用化粧品組成物に配合することは当業者が容易に想到できるものとは認められない。
　したがって、請求項１に係る発明は、甲第１〜８号証に記載された発明に基いて当業者が容易に発明をすることができたものではない。
　
(ii)請求項２〜４に係る発明について
　請求項２〜４に係る発明は、請求項１に係る発明のミクロフィブリルを限定するものであるから、上記(i)に述べた理由から明らかなように、甲第１〜８号証に記載された発明に基いて当業者が容易に発明をすることができたものであるとはいえない。
　
(f)特許法第３６条について
　特許異議申立人は、請求項１〜８に係る発明は、単に「化粧品組成物」と規定されており、発明の詳細な説明の欄の開示が化粧料のうち特定の毛や爪用に限定されていることと対比して明らかに広範なものであり両者は一致せず、この点において特許請求の範囲は不明瞭であるから、特許法第３６条に規定する要件を満たしていない旨主張している。
　しかし、請求項１〜８は、上記訂正により「毛髪、睫毛、眉毛又は爪用の」化粧品組成物と訂正されたか、又は訂正された請求項を引用しているので、明細書の不備は解消した。
　したがって、本件特許は特許法第３６条に規定する要件を満たす特許出願に対してされたものである。
　
４．むすび
　以上のとおりであるから、特許異議申立の理由及び証拠によっては、本件請求項１〜８に係る発明の特許を取り消すことはできない。
　
　また、他に取り消すべき理由を発見しない。
　
　よって、結論のとおり決定する。
【異議決定日】
平成１３年１１月１３日（２００１．１１．１３）
【訂正の要旨】
訂正の要旨
・訂正事項１
　特許請求の範囲の減縮を目的として、特許請求の範囲の請求項１が
「水溶液中又は水性分散液中に、フィルム形成ポリマー及び天然起源で長さが８０ｎｍ以上であり、長さ／径比率（形状因子）が１０以上である伸長剛体粒子形状のミクロフィブリルを懸濁させた水性懸濁液を含んでなり、前記ミクロフィブリルが、植物又は動物起源のセルロースミクロフィブリル、キトサンミクロフィブリル、または細菌形質転換体を起源とするミクロフィブリルであり、かつ表面イオン電荷を持つことを特徴とする化粧品組成物。」
とあるのを
「水溶液中又は水性分散液中に、フィルム形成ポリマー及び天然起源で長さが８０ｎｍ以上であり、長さ／径比率（形状因子）が１０以上である伸長剛体粒子形状のミクロフィブリルを懸濁させた水性懸濁液を含んでなり、前記ミクロフィブリルが、植物又は動物起源のセルロースミクロフィブリル又はキトサンミクロフィブリルであり、かつ、表面イオン電荷を持つことを特徴とする、毛髪、睫毛、眉毛又は爪用の化粧品組成物。」
と訂正する。
・訂正事項２
　誤記の訂正を目的として、特許請求の範囲の請求項２が
「前記微小線繊維が、１μｍ以上の平均長さを有し、３０以上の形状因子を有することを特徴とする請求項１記載の組成物。」
とあるのを
「前記ミクロフィブリルが、１μｍ以上の平均長さを有し、３０以上の形状因子を有することを特徴とする請求項１記載の組成物。」
と訂正する。
・訂正事項３
　明りょうでない記載の釈明を目的として、特許請求の範囲の請求項７が
「水溶性フィルム形成ポリマーが、２０℃以下のガラス転移点Ｔｇを持つ合成フィルム形成ポリマー及び４０℃以上のＴｇを持つ天然フィルム形成ポリマーから選択されることを特徴とする請求項１から６のいずれかに記載の組成物。」
とあるのを
「水溶液中のフィルム形成ポリマーが、２０℃以下のガラス転移点Ｔｇを持つ合成フィルム形成ポリマー及び４０℃以上のＴｇを持つ天然フィルム形成ポリマーから選択されることを特徴とする請求項１から６のいずれかに記載の組成物。」
と訂正する。
・訂正事項４
　明りょうでない記載の釈明を目的として、特許請求の範囲の請求項１２が
「爪のメーキャップ及び又はケア用製品であることを特徴とする請求項１から１０のいずれかに記載の組成物。」
とあるのを
「爪のメーキャップ及び／又はケア用製品であることを特徴とする請求項１から１０のいずれかに記載の組成物。」
と訂正する。
・訂正事項５
　特許請求の範囲の減縮及び明りょうでない記載の釈明を目的として、特許請求の範囲の請求項１３が
「水溶液中又は水性分散液中のフィルム形成ポリマー及び天然起源で長さが８０ｎｍ以上であり、長さ／径比率（形状因子）が１０以上である伸長剛体粒子形状のミクロフィブリル水性懸濁液からなり、前記ミクロフィブリルが、植物又は動物起源のセルロースミクロフィブリル、キトサンミクロフィブリル、または細菌形質転換体を起源とするミクロフィブリルであり、かつ表面イオン電荷を持つことを特徴とする、毛髪、睫毛、眉毛又は爪用の化粧品組成物の被覆剤。」
とあるのを
「水溶液中又は水性分散液中のフィルム形成ポリマー及び天然起源で長さが８０ｎｍ以上であり、長さ／径比率（形状因子）が１０以上である伸長剛体粒子形状のミクロフィブリル水性懸濁液からなり、前記ミクロフィブリルが、植物又は動物起源のセルロースミクロフィブリル又はキトサンミクロフィブリルであり、かつ表面イオン電荷を持つことを特徴とする、毛髪、睫毛、眉毛又は爪用の、化粧品組成物用の被覆剤。」
と訂正する。
（５４）【発明の名称】
天然起源の微小繊維及びフィルム形成ポリマーの、毛髪、睫毛、眉毛、及び爪用の複合被覆剤としての使用
（５７）【特許請求の範囲】
　【請求項１】　水溶液中又は水性分散液中に、フィルム形成ポリマー及び天然起源で長さが８０ｎｍ以上であり、長さ／径比率（形状因子）が１０以上である伸長剛体粒子形状のミクロフィブリルを懸濁させた水性懸濁液を含んでなり、前記ミクロフィブリルが、植物又は動物起源のセルロースミクロフィブリル又はキトサンミクロフィブリルであり、かつ、表面イオン電荷を持つことを特徴とする、毛髪、睫毛、眉毛又は爪用の化粧品組成物。
　【請求項２】　前記ミクロフィブリルが、１μｍ以上の平均長さを有し、３０以上の形状因子を有することを特徴とする請求項１記載の組成物。
　【請求項３】　前記ミクロフィブリルが、２０％以上の結晶化度を有することを特徴とする請求項１または２記載の組成物。
　【請求項４】　前記セルロースミクロフィブリルが、柔組織、木、穀類、野菜、セルロース壁を持つ藻類、ツニシンから抽出されたものであることを特徴とする請求項１から３のいずれかに記載の組成物。
　【請求項５】　前記表面イオン電荷が、硫酸イオン、カルボン酸イオン、またはリン酸イオンであることを特徴とする請求項１から４のいずれかに記載の組成物。
　【請求項６】　ミクロフィブリル／フィルム形成ポリマー混合物中のミクロフィブリル濃度が、ポリマー重量に対して１５重量％以下であることを特徴とする請求項１から５のいずれかに記載の組成物。
　【請求項７】　水溶液中のフィルム形成ポリマーが、２０℃以下のガラス転移点Ｔｇを持つ合成フィルム形成ポリマー及び４０℃以上のＴｇを持つ天然フィルム形成ポリマーから選択されることを特徴とする請求項１から６のいずれかに記載の組成物。
　【請求項８】　フィルム形成ポリマーの水性分散液が、１０℃未満のＴｇを持つ親水性ポリマーラテックスであることを特徴とする請求項１から６のいずれかに記載の組成物。
　【請求項９】　毛髪洗浄、毛髪形状の調整、維持、又は保持用製品であることを特徴とする請求項１から８のいずれかに記載の組成物。
　【請求項１０】睫毛または眉毛のメーキャップ用製品であることを特徴とする請求項１から８のいずれかに記載の組成物。
　【請求項１１】ミクロフィブリル／フィルム形成ポリマー混合物中のミクロフィブリル濃度が、フィルム形成ポリマー重量に対して６重量％以上であることを特徴とする請求項１０記載の組成物。
　【請求項１２】爪のメーキャップ及び／又はケア用製品であることを特徴とする請求項１から１０のいずれかに記載の組成物。
　【請求項１３】水溶液中又は水性分散液中のフィルム形成ポリマー及び天然起源で長さが８０ｎｍ以上であり、長さ／径比率（形状因子）が１０以上である伸長剛体粒子形状のミクロフィブリル水性懸濁液からなり、前記ミクロフィブリルが、植物又は動物起源のセルロースミクロフィブリル又はキトサンミクロフィブリルであり、かつ表面イオン電荷を持つことを特徴とする、毛髪、睫毛、眉毛又は爪用の、化粧品組成物用の被覆剤。
【発明の詳細な説明】
　本発明は、水溶液中又は水性分散液中でフィルムを形成するポリマー及び天然起源の伸長剛体粒子（ｅｌｏｎｇａｔｅ　ｒｉｇｉｄ　ｐａｒｔｉｃｌｅｓ）形状のミクロフィブリル（ｍｉｃｒｏｆｉｂｒｉｌ）水性懸濁液の、化粧用又は皮膚用組成物の調製における又は調製のための、毛髪、睫毛、眉毛又は爪用複合被覆剤としての使用に関する。
　化粧用又は皮膚用組成物は、主に濃化液体状をなしている。この種の体裁は、消費者に極めて好ましく、このことは処方する者にとって本質的に第一の関心事であり、製品を容器から無駄無く取り出しやすくし、製品の処置すべき場所からの拡散を抑制するとともに、処置すべき場所には全体に渡って広がることができ、所望の化粧用又は皮膚用効果を得るのに十分な量を用いることを可能にする。
　この目的は、ケラチン繊維に沿って均一に広がって分散することが必要であり、なおかつ前頭、首筋、顔、又は眼の中に流れ落ちてはならない毛髪組成物等の処方の第一の関心事である。この種の体裁は、特に毛髪スタイリング、維持及び／または固定用製品が求められる。
　またこの目的は、睫毛や眉毛に沿って均一に広がって分散することが必要であるとともに、顔、眼の中、または瞼に流れ落ちてはならない睫毛、眉毛のメーキャップ用水性組成物にとっても重要である。
　さらにこの目的は、指に流れ出ることなく爪全体に均一に広がって分散することが求められる水性マニキュアにとっても重要である。
　特に、毛髪スタイリング及び／または維持に関して、透明又は半透明の水性毛髪用ゲルであって、粘着感無しに指で容易に取り出すことができ、毛髪に広げやすく、乾燥後に毛髪に沿って均一で連続した粘着感の無い被覆を形成するようなゲルが求められる。また、毛髪スタイリング及び／または維持用水性ゲルも、ゲルの乾燥の間に毛髪に十分に十分付着する析出をもたらすが、被覆が部分的または全体的に粘着性で無くなるために、毛髪に不十分な機械的特性、低すぎる曲げ強度、毛髪の弱い保持しか与えない危険がある。ゲルの乾燥による被覆、それによって得られるヘアスタイルの維持は、環境水分（環境湿度、雨、水泳バス等）にも耐えなければならず、殆どの適用においてシャンプーで容易に取り除かれなければならない。
　標準的な毛髪用ゲルの殆ど、例えば、カルボポール（Ｃａｒｂｏｐｏｌ）またはペムレン（Ｐｅｍｕｌｅｎ）タイプのフィルム形成アクリル性ポリマーに基づくものは、毛髪上に不均一で不連続な析出を形成する傾向がある。また、これらは取り出し時及び毛髪上で粘着感がある。さらに、これらの耐水性は及び耐水分性は不十分であった。
　他の標準的な毛髪用ゲル、特にグアガムに基づくものは、毛髪繊維の周囲に被覆を形成するが、この被覆はゲルの乾燥中に同じ位置で非粘着性になる傾向がある。これらの耐水性及び耐水分性も不十分であった。
　本出願人は、予想もできないことだが、特定の天然のミクロフィブリルの懸濁液を、溶液中の水溶性フィルム形成ポリマーまたは分散液中の水不溶性ポリマーと組み合わせて使用することにより、毛髪用組成物を得ることができ、この組成物は、濃化液状、特に透明又は半透明の水性ゲル形態であって、粘着感無しに指で容易に取り出すことができ、流れ流体化（ｒｈｅｏ−ｆｌｕｉｄｉｆｙｉｎｇ）効果によって毛髪全体に広げやすく、乾燥後に、毛髪に沿って粘着感の無い均一で連続した被覆を形成することができることを見出した。この組み合わせによって得られた被覆は、乾燥中に毛髪上に十分付着し、さらに、環境からの機械的攻撃因子（摩擦、空気の流れ）及び環境水分に対する耐性を有する。これはシャンプーによって極めて容易に取り除かれる。
　睫毛及び眉毛のメーキャップ用水性製品（マスカラ又はアイライナー）については、濃化形態あるいはゲル形態の水中油型エマルションが求められる。これらの組成物は、一般に懸濁液中の色素及び少なくとも１つのフィルム形成ポリマーを含んでいる。適用時及び組成物の乾燥中の両方において、睫毛または眉毛に粘着感無く容易に広げることのできる粘性製品。乾燥後に、睫毛または眉毛に粘着感無しに均一で連続した被覆を形成できる組成物も求められる。水性マスカラの状況において、この被覆は美的に満足できるように睫毛を長くできなければならない。この被覆は良好な機械強度、特に摩擦から乾燥に対する耐性を持ち、水、環境水分、及び顔用洗浄剤に対する耐性を持たねばならない。
　本出願人は、予想だにしないことだが、特定の天然のミクロフィブリルの懸濁液を、溶液中の水溶性フィルム形成ポリマーまたは分散液中の水不溶性ポリマーと組み合わせて使用することにより、これら全ての目的を満足する睫毛又は眉毛メーキャップ用組成物を得ることができることを見出した。
　マニキュアの状況において、色素懸濁液の調製が望まれているが、これも濃化形態、特に安定で極めて流れ流体化水性ゲルの形態であって、爪上で容易に広がり、適用及び乾燥の後、良好な硬さのフィルムを容易に形成し、癒着剤を用いる必要が無く粘着感もない。
　本出願人は、予想しないことだが、特定の天然のミクロフィブリルの懸濁液を、分散液中のフィルム形成ポリマーと組み合わせて使用することにより、これら全ての目的を満足する爪メーキャップ用組成物を得ることができることを見出した。
　本発明の主題は、水溶液中又は水性分散液中のフィルム形成ポリマー及び天然起源で長さが８０ｎｍ以上であり、長さ／径比率（形状因子）が好ましくは１０以上である伸長剛体粒子形状のミクロフィブリル水性懸濁液の、化粧用又は皮膚用組成物の調製における及び調製のための、毛髪、睫毛、眉毛又は爪用の複合被覆剤としての使用である。
　本発明の他の目的は、以下の説明の見識から明らかになる。
　本発明のミクロフィブリルは、伸長剛体基本粒子形状をなし、好ましくは１μｍ以上の平均長さを有し、３０以上、好ましくは６０以上の形状因子を有する。
　これらの結晶化度は、通常は、２０％以上、好ましくは５０％以上である。
　本発明で用いられるミクロフィブリル懸濁液は、多くの異なる起源から得ることができる。
　天然起源の微小線維は、好ましくは植物又は動物起源のセルロースミクロフィブリル、あるいは、キチンから抽出されるキトサンミクロフィブリルである。また、細菌形質転換体を起源とするものであってもよい。
　植物起源のセルロールミクロフィブリルの中で、柔組織から抽出されたもの、木から抽出されたもの、小麦などの穀類から抽出されたもの、ビートの根などの野菜から抽出されたもの、セルロース壁を持つ藻類から抽出されたものを挙げることができる。
　動物起源のセルロースミクロフィブリルの中で、特に、被嚢類（ｔｕｎｉｃａｔｅ）科に属する海洋動物（例えば、食用種　Ｊａｐａｎｅｓｅ　Ｈａｌｏｃｙｎｔｈｉａ　ｐａｐｉｌｌｏｓａ又はｍｅｄｉｔｅｒｒａｎｅａｎ　Ｍｉｃｒｏｃｏｓｍｕｓ　ｆｕｌｃａｔｕｓ−ｖｉｏｌｅｔｓ）エンベロープからのツニシン（ｔｕｎｉｃｉｎ）から得られるものを挙げることができる。
　幾つかの刊行物が、これらのミクロフィブリル及びそれらの調製方法を記載している。
　特に、ツニシンから抽出したセルロースミクロフィブリルに関するＶ．Ｆａｖｉｅｒの記事「先進科学技術のためのポリマー（Ｐｏｌｙｍｅｒｓ　ｆｏｒ　Ａｄｖａｎｃｅｄ　Ｔｅｃｈｎｏｌｏｇｙ）」、第６巻、３５１−５５頁、１９９５年、及び、仏国特許出願第２７１６８８７号公報を挙げることができる。
　また、木から抽出したセルロースミクロフィブリルに関するＢｏｌｄｅｚａｒ等の記事「熱膏剤用強化フィラーとしての前加水分解されたセルロース（Ｐｒｅｈｙｄｒｏｌｙｚｅｄ　Ｃｅｌｌｕｌｏｓｅ　ａｓ　ｒｅｉｎｆｏｒｃｉｎｇ　ｆｉｌｌｅｒ　ｆｏｒ　ｔｈｅｒｍｏｐｌａｓｔｅｒｓ）」、Ｉｎｔｅｒｎ．Ｊ．Ｐｏｌｙｍｅｒｉｃ　Ｍａｔｅｒ．，１９８７，ｖｏｌ．１１，２２９−２６２を挙げることができる。
　さらに、キトサンミクロフィブリルについては、Ｓ．Ｓａｌｍｏｎの文献ＡＡＴＣＣ，Ｉｎｔｅｒｎａｔｉｏｎａｌ　Ｃｏｎｆｅｒｅｎｃｅ，８−１１，１０／９５，ｐ　２９６−３０６（１９９５）を参考にすることができる。
　好ましくは、本発明の天然起源ミクロフィブリルの水性分散体は、その表面に存在するイオン性電荷によって安定化される。これらの表面電荷は、好ましくは、硫酸イオン、カルボン酸イオン、またはリン酸イオンである。これらは、国際出願ＷＯ　９３／１０１７２に記載されている抽出方法によって得られる。この方法は、セルロースを高速ホモジナイザーに通すことに依るセルロースの解繊（ｄｅｇｒａｄａｔｉｏｎ）と、例えば硫酸またはリン酸による非加水分解酸処理との組み合わせからなり、表面イオン性電荷は有するがセルロースの初期重合度は修正するミクロフィブリルを提供することを目的とする。これらの表面電荷は、セルロースミクロフィブリルの表面にあるペクチン残基によるものであってもよい。
　本発明で用いるミクロフィブリル懸濁液は、通常は、０．３重量％以下の濃度で半透明又は透明である。この値より多いと不透明になる。
　化粧用または皮膚用の適用を考えた場合、ミクロフィブリルの濃度は、組成物全重量に対して、好ましくは０．１から３０重量％、より好ましくは０．２から２０重量％である。
　本発明で用いる水溶性フィルム形成ポリマーは、欧州特許出願公開第５５７１９６号及び第６７６４５１号公報に記載されているものから選択することができる。これらのポリマーは、より詳細には、本発明において毛髪用製品、水性マスカラまたは爪用水性ケアベースに用いられる。
　例えば、ポリビニルアルコール、ヒドロキシエチルセルロース、化粧品に用いられるセルロースエーテル、グアガム、イナゴマメ（ｃａｒｏｂ）ガムを挙げることができる。
　適用の型に応じて、以下が好適に用いられる。
（ｉ）好ましくは２０℃以下の低いガラス転移点Ｔｇを持つ合成フィルム形成水溶性ポリマー；あるいは、
（ｉｉ）通常は４０℃以上の高いＴｇを持つ天然起源の水溶性フィルム形成ポリマー（多糖類、セルロース誘導体）。
　天然起源のミクロフィブリルは、ミクロフィブリル／水溶性フィルム無形成ポリマー混合物中に、１５重量％以下、より好ましくは１０重量％以下の比率で存在する。
　本発明で用いられる不溶性フィルム形成ポリマーの水性分散液は、好ましくは１０℃以下、より好ましくは５℃以下のガラス転移点を持つ疎水性ポリマーラテックスから選択される。
　本発明の天然起源のミクロフィブリルは、ミクロフィブリル／ラテックス混合物中に、１５重量％以下、より好ましくは１０重量％以下の比率で存在する。
　これらのラテックスは、特に水性マスカラ又はマニキュアにおいて用いられるであろう。
　本出願人は、驚くべきことに、懸濁した色素を含む睫毛のメーキャップ用組成物におけるミクロフィブリル懸濁液／フィルム形成ポリマーの組み合わせが、該ミクロフィブリルの濃度がフィルム形成ポリマーに対して６重量％以上である場合に、実質的に睫毛の伸長を向上させることを見出した。
　本発明の組成物は、化粧用又は皮膚用に許容され得る媒体、即ち、爪、毛髪、睫毛または眉毛に相容性の媒体を含む。
　望まれる化粧用又は皮膚用の適用に応じて、天然起源のミクロフィブリルの濃度は、組成物全重量に対して、好ましくは０．１から３０重量％、より好ましくは０．２から２０重量％の範囲である。
　本発明の組成物のための化粧用及び／または皮膚用に許容されうる媒体は、より詳細には、水からなり、任意に化粧用及び／または皮膚用に許容されうる（許容されうる寛容、毒性及び感触）有機溶媒を含む。
　これらの溶媒は、親水性有機溶媒、親油性有機溶媒、及び両性有機溶媒、又はそれらの混合物からなる群から選択される。
　親水性有機溶媒の中で、例えば、エタノール、プロパノール、ブタノール、イソプロパノール及びイソブタノール等の１から８の炭素原子を有する線状又は分岐した低級モノアルコール類；６から８０のエチレンオキシドを有するポリエチレングリコール類；プロピレングリコール、ブチレングリコール、グリセロール及びソルビトール等のポリオール類；ジメチルイソソルビド等の１から５の炭素原子を有するアルキル基を持つモノアルキルまたはジアルキルイソソルビド（ｉｓｏｓｏｒｂｉｄｅ）；ジエチレングリコールモノメチルまたはモノエチル等のグリコールテル；及び、ジプロピレングリコールメチルエーテル等のプロピレングリコールエーテルが挙げられる。
　両性有機溶媒としては、イソプロピレングリコール等のポリオール類；ポリプロピレングリコール脂肪酸エステル、及びＰＰＧ−２３オレイルエーテル及びＰＰＧ−３６オレアートといったＰＰＧの脂肪アルコールエーテル等のポリプロピレングリコール（ＰＰＧ）誘導体が挙げられる。
　親油性有機溶媒としては、例えば、アジピン酸ジイソプロピル、アジピン酸ジオクチル、及び安息香酸アルキルなどの脂肪エステルが挙げられる。
　本発明の化粧用又は皮膚用組成物を、より使いやすくする（適用時に柔らかく、より滋養を与え軟化する）ために、これらの組成物の媒体に脂肪相を添加することも可能である。
　この脂肪相は、１またはそれ以上の油を含み、この油は好ましくは以下の群から選択される。
・揮発性又は不揮発性、線状、分岐状又は環状の、有機変性または非有機変性の、水溶性または水不溶性シリコーン類。
・流動パラフィン及び液体石油ジェリーなどの鉱油。
・ペルヒドロスクアレンなどの動物起源の油。
・スウィートアーモンド油、アボカド油、ひまし油、オリーブ油、ホホバ油、ゴマ油、グラウンドナッツ油、マカダミア油、ナタネ油、ココナッツ油などの植物起源の油。
・パーセリン油及びイソパラフィンなどの合成油。
・フルオロ又はペルフルオロ油。
　この組成物は、脂肪物質として、１またはそれ以上の脂肪アルコール、脂肪酸（ステアリン酸）、又はワックス（パラフィンワックス、ポリエチレンワックス、カルナウバワックス、ビーズワックス）を含んでいてもよい。
　周知の方法で、本発明の全ての組成物は、化粧用及び皮膚用の分野で通常用いられるアジュバント、他の標準的なゲル化剤及び／または濃化剤；ポリマー類；乳化剤；界面活性剤；加湿剤；軟化剤；日焼け止め剤；親水性または親油性活性剤；抗−フリーラジカル剤；殺菌剤；金属イオン封鎖剤；抗フケ剤；酸化防止剤；保存剤；香料；フィラー；染料；可塑剤；癒着剤を含んでいてもよい。これら種々のアジュバントは、考慮している分野で従来から用いられているものである。
　明らかに、当業者は、本発明の組成物に添加すべき任意の化合物を、本発明の組成物が本来有する有利な特性が、考えている添加によって損なわれない、又は実質的に損なわれないように慎重に選択するであろう。
　本発明の組成物は、毛髪、睫毛、眉毛、又は爪に適した任意の形態であってよく、特に、ローション又は漿液タイプの溶液形態；水性ゲル形態；脂肪相を水相に分散して得られる（Ｏ／Ｗ）あるいはその逆（Ｗ／Ｏ）のエマルション形態；乳液あるいは比較的滑らかなクリームのような液体または半液体粘度の形態；ペースト状であってよい。これらの組成物は、通常の方法によって調製できる。
　本発明の組成物は、すすぎ落とし（ｒｉｎｃｅ−ｏｕｔ）、または、入れたままにしておく（ｌｅａｖｅ−ｉｎ）毛髪用製品として、特に、毛髪等のケラチン繊維の洗浄、ケア、又は調整、スタイル保持、またはスタイリングのために用いられる。
　これらは、ヘアーセットローション、ブロー−ドライローション、または固定及びスタイリング組成物といったスタイリング用製品であってもよい。これらのローションは、組成物を噴霧形態またはムース形態で適用するために、種々の形態、特に、噴霧器、ポンプ−ディスペンサボトルまたはエアロゾル缶にパッケージされる。このようなパッケージ形態は、例えば、毛髪固定または処理用のスプレー又はムースを得ることを望む場合に必要である。
　また、本発明の組成物は、シャンプー、染色、漂白、パーマネントウェーブ形成、又は直毛化の前または後に適用するためのすすぎ落としあるいは入れたままにしておくシャンプーであってもよい。
　本発明の組成物は、メーキャップ製品であってもよく、特に、
・”クリーム”マスカラまたは耐水性マスカラなどの、睫毛及び眉毛の被覆用水性製品；
・爪用ケアベース、標準的な溶媒または水性爪用マニキュアのマニキュアアンダーコートなどの、爪被覆用水性製品である。
　以下の実施例は本発明を例示するが、その性質を限定するものではない。
実施例１：ツニシンから得た硫酸表面電荷を有するセルロースミクロフィブリルの水性懸濁液の調製
　スミレからのエンベロープの断片を粗洗浄した後、５％の水酸化カリウム（ＫＯＨ）水溶液中に入れ、一昼夜放置した。次いで、洗浄して、８０℃のバスで、２時間おきにバスを入れ換えながら漂白（ｂｌａｎｃｈ）した。このバスは、３００ｍｌの亜塩素酸塩溶液（１ｌ蒸留水中に１７ｇのＮａＣｌＯ２を含むもの）を３００ｍｌの酢酸バッファー（７５ｍｌのＣＨ３ＣＯＯＨに２７ｇのＮａＯＨを加え、蒸留水で１ｌとしたもの）と混合したものである。この漂白処理は、３回繰り返し、バイオレットの断片が完全に白色になった。
　セルロースの断片は、次いで、Ｗａｒｉｎｇ　Ｂｌｅｎｄｅｒ　ｍｉｘｅｒ　で２０分間崩壊させ、蒸留水中の断片の濃度を約５％とした。こうして得られた壁の破片の凝集懸濁液は、約１％に希釈し、Ｇａｕｌｉｎ　１５Ｍ８ＴＡ機械ホモジナイザーの連続的サイクルに導入した。機械の圧力は６００バールまで徐々に上げ、大きなセルロース破片によって機械がブロックされないようにした。温度上昇を監視し、７０℃を越えないように注意した。約１５サイクルの後、繊維の小さな凝集物を含む均一な懸濁液が得られた。操作の効率の簡単な試験は、生成物の混濁度（ｔｈｉｃｋｎｅｓｓ）上昇の観察によった。指標として、約２％セルロースの力価を持つ懸濁液で石油ジェリーの粘稠度が有られたときに所望の結果に到達したものとする。
　ホモジナイザーから得た懸濁液は、次いで、ホモジナイザーから出た懸濁液４５０ｍｌに対して３０ｍｌの濃硫酸（９５％）という比率で硫酸で処理した。全混合物を、６０℃に２０分間維持した。懸濁液は、次いで、焼結漏斗（多孔性１）を通して濾過し粗い凝集物を除き、その後、セルロースミクロフィブリルを多孔性４のフィルター上に保持した。この生成物を蒸留水で洗浄し、次いで水酸化ナトリウムＮａＯＨ（０．１％）で懸濁液を中性にし、さらに蒸留水で再度洗浄した。これにより、セルロースはフィルター上に粘稠な水性ペースト状で析出した。これを、水中に再度分散し、懸濁液をマグネチック・スターラーを用いて均一化し、次いで、５分間超音波処理（Ｂｒａｎｓｏｎ　Ｓｏｎｉｆｉｅｒ　Ｂ１２）した。最終的な、懸濁液は十分に均一で即座に使用可能であり、凝集物が無く、数週間に渡って安定であった。
実施例２：３℃のガラス転移点を持つ水溶性アクリルコポリマーの合成
　このコポリマーは、以下のもののラジカル重合によって得た。
アクリル酸　　　　　　　　　　　１０重量％
アクリル酸イソブチル　　　　　　７０重量％
アクリル酸ｔ−ブチル　　　　　　２０重量％
　重合は、エタノール溶液中で、開始剤としてアゾイソビスブチロニトリルを用いて行った。
　２００ｇの無水エタノール、１００ｇのモノマー混合物、及び２ｇのアゾイソビスブチロニトリルを、中心スターラー、温度計、冷却管、及び窒素泡通気用管を具備する５００ｍｌの反応器に導入した。攪拌は、窒素泡通気しながら２５０回転／分で行った。混合物を、還流温度（７８℃）まで徐々に加熱し、この温度において同条件下に１８時間保持した。この時間の後、混合物を室温に冷却し、ポリマーを５ｌの石油エーテルでの再結晶によって精製した。析出物は、真空下、４５℃で、一定重量になるまで乾燥した。８１ｇのポリマーが得られ、収率は８１％であった。
　測定した酸価（ａｃｉｄ　ｎｕｍｂｅｒ）は８１．５であった。
　３６．４℃におけるジメチルホルムアミドの５重量％溶液の絶対粘度は１．７ｃｐｓであった。
　立体排除クロマトグラフのピークの分子量は３６，８００であった。
　下記の組成の水性溶液を調製した。
・実施例２の水溶性フィルム形成ポリマー　　　　　　　　　２７．３７ｇ
・２−アミノ−２−メチルプロパノール　　　　　　　　　　　３．５３ｇ
　（１００％中和）
・脱塩水　　　　　　　　　　　　　　　　　　　　　　　　６９．１０ｇ
実施例３：実施例１の水性懸濁液と実施例２のポリマー溶液との組み合わせを含む水性混合物の調製
　実施例１のミクロフィブリル懸濁液を、ミクロフィブリルの固形分２．３４重量％として１００ｇの水性ゲルを作製した。
　このゲル（ミクロフィブリル懸濁物）の４２．６５ｇを、実施例２のポリマー溶液５７．３３５ｇに混合して攪拌し、乾燥後に６重量％のミクロフィブリルを含む複合材料を形成する水性混合物を得た。
　このようにして以下の組成の水性ゲルを調製した。
・実施例２の水溶性フィルム形成ポリマー　　　　　　　　　１５．７重量％
・２−アミノ−２−メチルプロパノール　　　　　　　　　　　２．０重量％
　（１００％中和）
・実施例１のミクロフィブリル　　　　　　　　　　　　　　　１．０重量％
・脱塩水　　　　　　　　　　　　　　　　　　　　　　　　８１．３重量％
実施例４：水性マスカラ
　実施例３の水性ゲルを、マスカラに通常用いられる十分な量の色素に単に添加することによりマスカラを調製した。得られたマスカラは安定であり、均一であり、睫毛を伸長させることができ、水に良好な耐性を有する。これは、洗浄用製品で容易に取り除かれる。
実施例５：毛髪固定用ゲル
　実施例３のゲルから毛髪固定用ゲルを調製した。蒸発の後、この製品は毛髪上にフィルムを与え、それは満足な固定特性を有し、水に耐性があり、シャンプーによって容易に除去される。
実施例６：親水性フィルム形成ラテックスの合成
　このラテックスは以下の組成を持つ。
アクリル酸　　　　　　　　　　　　　　　１０重量％
アクリル酸イソブチル　　　　　　　　　　７０重量％
アクリル酸ｔ−ブチル　　　　　　　　　　２０重量％
　６２．５ｇの脱塩水、１．２４ｇの　Ｒｈｏｎｅ　Ｐｏｕｌｅｎｃ　社からＡｂｅｘ　ＪＫＢ　という名称で市販されている界面活性剤の３０．４％水溶液、及び０．１９ｇの価硫酸カリウムを、中心スターラー、温度計、及び冷却管を備えた反応器に導入した。混合物を、高速攪拌しながら８０℃の温度にした。
　平行して、２つのいわゆる”キャスト”溶液Ｓ１及びＳ２を調製した。
キャストＳ１（モノマー溶液）：
・アクリル酸　　　　　　　　　　　　　　１２．５ｇ
・アクリル酸イソブチル　　　　　　　　　８７．５ｇ
・アクリル酸ｔ−ブチル　　　　　　　　　２５ｇ
・ドデカンチオール　　　　　　　　　　　　１．２５ｇ
キャストＳ２：
・脱塩水　　　　　　　　　　　　　　　３１２．５ｇ
・３０．２４％Ａｂｅｘ　ＪＫＢ　水溶液　１１．１６ｇ
・価硫酸カリウム　　　　　　　　　　　　　０．５５ｇ
　反応忌中の水溶液が８０℃に到達したとき、１０％の溶液Ｓ１を添加し、混合物を１５分間反応させた。溶液Ｓ１の残り及び溶液Ｓ２は、次いで、４時間かけて一定流速で同時に添加した。２つの同時添加の終点において、反応媒体の温度は８５℃に上昇させ、この温度に３０分間保持した。
　混合物を攪拌しながら室温まで冷却した。それをナイロンガーゼを通して濾過した。
　以下の特性を持つポリマー粒子の分散物を得た。
・平均粒径：２３０ｎｍ
・Ｃｏｕｌｔｅｒ　Ｎ４　ＳＤ　タイプの装置でを用いた半弾性（ｑｕａｓｉ−ｅｌａｓｔｉｃ）光散乱で測定した粒径多分散性：＜０．１
・８０℃の通気オーブン内で一定重量としたときの固形分量：２５％
・立体排除クロマトグラフのピークにおける分子量：７０，０００
・ＤＳＣで測定したガラス転移点：−７℃
　得られたポリマー分散物は、回転エバポレータで濃縮し、最終的な固形分量を５０．３６％とした。
実施例７：実施例１の水性懸濁液と実施例６のポリマー分散液との組み合わせを含む水性混合物の調製
　実施例１のミクロフィブリル懸濁液を、ミクロフィブリル２．３４重量％の固形分とし、１００ｇの水性ゲルを作製した。
　このゲル（ミクロフィブリル懸濁物）の５６．３２ｇを、実施例６のポリマー分散液４３．６８ｇに混合して攪拌し、乾燥後にポリマーに対して５．７重量％のミクロフィブリルを含む複合材料を形成する水性混合物を得た。
　このようにして以下の組成の水性ゲルを調製した。
・実施例６のフィルム形成ポリマー　　　　　　　　　　２２ｇ（固形分）
・２−アミノ−２−メチルプロパノール　　　　　　　　ｐＨ７とする量
　（１００％中和）
・実施例１のミクロフィブリル　　　　　　　　　　　　１．３２ｇ
・脱塩水　　　　　　　　　　　　　　　　　　　　　　７６．６８ｇ
実施例８：水性マスカラ
　実施例７の水性ゲルを、マスカラに通常用いられる十分な量の色素に単に添加することによりマスカラを調製した。得られたマスカラは安定であり、均一であり、睫毛を伸長させることができ、実施例４のマスカラ以上に水に良好な耐性を有する。これは、洗浄用製品で容易に取り除かれる。
実施例９：疎水性フィルム形成ラテックスの合成
　このラテックスは以下の組成を持つ。
アクリル酸イソブチル　　　　　　　　　　６３．８重量％
アクリル酸ｔ−ブチル　　　　　　　　　　３６．２重量％
　方法は、実施例６と同様の条件で行った。
　以下の特性を持つポリマー粒子の分散物を得た。
・平均粒径：２５０ｎｍ
・Ｃｏｕｌｔｅｒ　Ｎ４　ＳＤ　タイプの装置でを用いた半弾性（ｑｕａｓｉ−ｅｌａｓｔｉｃ）光散乱で測定した粒径多分散性：＜０．１
・８０℃の通気オーブン内で一定重量としたときの固形分量：２４．８％
・立体排除クロマトグラフのピークにおける分子量：６５，０００
・ＤＳＣで測定したガラス転移点：−３℃
　得られたポリマー分散物は、回転エバポレータで濃縮し、最終的な固形分量を４９．８６％とした。
実施例１０：実施例１の水性懸濁液と実施例９のポリマー分散液との組み合わせを含む水性混合物の調製
　実施例１のミクロフィブリル懸濁液を、ミクロフィブリル３．５重量％の固形分とし、１００ｇの水性ゲルを作製した。
　このゲル（ミクロフィブリル懸濁物）の４２．８６ｇを、実施例９のポリマー分散液５７．１４ｇに混合して、Ｒａｉｎｅｒｉタイプの剪断ミキサを用いて攪拌し、以下の組成の水性ゲルを得た。
・実施例９のフィルム形成ポリマー　　　　　　　　　　２８．５ｇ（固形分）
・実施例１のミクロフィブリル　　　　　　　　　　　　１．５ｇ
・脱塩水　　　　　　　　　　　　　　　　　　　　　　７０．０ｇ
　得られた分散物は、ポリマー重量に対して５重量％のミクロフィブリルを含む。
実施例１１：水性マニキュア
　マニキュアに通常用いられる色素を、実施例１０の水性ゲル中に、剪断混合によって分散させてマニキュアを調製した。
　得られたマニキュアは安定であり、顕著な流れ一流動化性によって広がりやすく、乾燥後には良好な可撓性を持つが軟らかさや表面粘着性は無い光沢のあるフィルムとなる。爪上に得られた析出物は、傷つき難く、削られ難く、爪に良好に付着し、水および洗浄剤又は界面活性剤の水溶液の攻撃に対して良好な耐性を持つ。